(57)【要約】【課題】少なくとも２つの色成分を含む入力画像情報を、上記２つの色成分ともに入力画像情報の１画素当たりの階調数よりも１画素当たりの階調数が少ない出力画像情報に変換する場合における、干渉縞および色むらの発生を軽減することが可能な画像処理装置を提供する。【解決手段】画像処理装置１０は、第１および第２の色成分を含む入力画像情報を、両色成分ともに入力画像情報よりも１画素当たりの階調数が少なく、両色成分ともに入力画像情報の階調が各画素の階調値と網点の密度とにより表現された出力画像情報であって、第１の色成分と第２の色成分とで網点の大きさが異なる出力画像情報に変換する変換部１２を有する。【選択図】図１
2008147739.tif 000002
【特許請求の範囲】
【請求項１】
第１および第２の色成分を含む入力画像情報を、前記両色成分ともに前記入力画像情報よりも１画素当たりの階調数が少ない出力画像情報に変換する変換手段を備え、
前記出力画像情報は、前記両色成分ともに前記入力画像情報の階調が各画素の階調値と網点の密度とにより表現された画像情報であり、
前記第１の色成分と前記第２の色成分とで前記網点の大きさが異なる、
ことを特徴とする画像処理装置。
【請求項２】
請求項１に記載の画像処理装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理装置。
【請求項３】
請求項１または２に記載の画像処理装置であって、
前記第１および第２の色成分のうち少なくとも一つの色成分の網点の大きさは、低濃度になるほど小さくなるように、前記入力画像情報の階調値に応じて変化する、
ことを特徴とする画像処理装置。
【請求項４】
第１および第２の色成分を含む入力画像情報を、前記両色成分ともに前記入力画像情報よりも１画素当たりの階調数が少ない出力画像情報に変換する変換手段と、
前記出力画像情報に基づき、前記第１および第２の色成分を含む画像を記録媒体上に形成する画像形成手段と、
を備え、
前記出力画像情報は、前記両色成分ともに前記入力画像情報の階調が各画素の階調値と網点の密度とにより表現された画像情報であり、
前記第１の色成分と前記第２の色成分とで前記網点の大きさが異なる、
ことを特徴とする多色画像形成装置。
【請求項５】
請求項４に記載の多色画像形成装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする多色画像形成装置。
【請求項６】
請求項４または５に記載の多色画像形成装置であって、
前記第１および第２の色成分のうち少なくとも一つの色成分の網点の大きさは、低濃度になるほど小さくなるように、前記入力画像情報の階調値に応じて変化する、
ことを特徴とする多色画像形成装置。
【請求項７】
コンピュータに、第１および第２の色成分を含む入力画像情報を、前記両色成分ともに前記入力画像情報よりも１画素当たりの階調数が少ない出力画像情報に変換することを実行させ、
前記出力画像情報は、前記両色成分ともに前記入力画像情報の階調が各画素の階調値と網点の密度とにより表現された画像情報であり、
前記第１の色成分と前記第２の色成分とで前記網点の大きさが異なる、
ことを特徴とする画像処理プログラム。
【請求項８】
請求項７に記載の画像処理プログラムであって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理プログラム。
【請求項９】
請求項７または８に記載の画像処理プログラムであって、
前記第１および第２の色成分のうち少なくとも一つの色成分の網点の大きさは、低濃度になるほど小さくなるように、前記入力画像情報の階調値に応じて変化する、
ことを特徴とする画像処理プログラム。
【発明の詳細な説明】
【技術分野】
【０００１】
本発明は、画像処理装置、多色画像形成装置、および画像処理プログラムに関する。
【背景技術】
【０００２】
画像情報を、当該画像情報よりも１画素当たりの階調数が少ない画像情報に変換する技術が知られている（例えば、特許文献１〜３参照）。
【０００３】
特許文献１には、複数の色成分を持つ多値階調の画素に二値化処理を行って二値画像を生成する画像処理方法であって、第１の色成分および第２の色成分に対応して相互に異なる閾値データを用意し、当該閾値データにより設定された閾値と誤差データの加算された画像データとを比較して二値信号を出力するものが開示されている。この画像処理方法は、画像二値化後における画像データの各色成分のドットの重なりによる画質劣化を防止するためのものである。
【０００４】
また、特許文献２には、複数のカラー・プレーンを考慮しながら誤差拡散ハーフトーン化を実行することにより、異なる色の重なり合ったカラー・ドット・パターンを防止するハーフトーン化方法が開示されている。
【０００５】
また、特許文献３には、多値で表される入力画像データを、誤差拡散処理を行いながら複数個の微画素の２値データで階調表現する画像処理方法が開示されている。この画像処理方法では、ドット再現開始の基点となるドット（コアドット）が所定のサイズ以上となるように規制しながら誤差拡散法で２値化処理を進め、さらに、コアドットの生成状況や画像データの濃度に応じて、コアドットに隣接する画素に最小単位のドット（サブドット）を配置することでドットの面積変調を行う。
【０００６】
【特許文献１】特開２００２−０７７６５５号公報
【特許文献２】特開平１１−０１０９１８号公報
【特許文献３】特開２００３−３４８３４７号公報
【発明の開示】
【発明が解決しようとする課題】
【０００７】
少なくとも２つの色成分を含む入力画像情報を、上記２つの色成分ともに入力画像情報の１画素当たりの階調数よりも１画素当たりの階調数が少ない出力画像情報に変換する場合における、干渉縞および色むらの発生を軽減することが可能な画像処理装置を提供することを目的とする。
【課題を解決するための手段】
【０００８】
本発明に係る画像処理装置は、第１および第２の色成分を含む入力画像情報を、前記両色成分ともに前記入力画像情報よりも１画素当たりの階調数が少ない出力画像情報に変換する変換手段を備え、前記出力画像情報は、前記両色成分ともに前記入力画像情報の階調が各画素の階調値と網点の密度とにより表現された画像情報であり、前記第１の色成分と前記第２の色成分とで前記網点の大きさが異なることを特徴とする。
【０００９】
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
また、本発明の一態様では、前記第１および第２の色成分のうち少なくとも一つの色成分の網点の大きさは、低濃度になるほど小さくなるように、前記入力画像情報の階調値に応じて変化する。
【００１０】
本発明に係る多色画像形成装置は、第１および第２の色成分を含む入力画像情報を、前記両色成分ともに前記入力画像情報よりも１画素当たりの階調数が少ない出力画像情報に変換する変換手段と、前記出力画像情報に基づき、前記第１および第２の色成分を含む画像を記録媒体上に形成する画像形成手段と、を備え、前記出力画像情報は、前記両色成分ともに前記入力画像情報の階調が各画素の階調値と網点の密度とにより表現された画像情報であり、前記第１の色成分と前記第２の色成分とで前記網点の大きさが異なることを特徴とする。
【００１１】
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
【００１２】
本発明の一態様では、前記第１および第２の色成分のうち少なくとも一つの色成分の網点の大きさは、低濃度になるほど小さくなるように、前記入力画像情報の階調値に応じて変化する。
【００１３】
本発明に係る画像処理プログラムは、コンピュータに、第１および第２の色成分を含む入力画像情報を、前記両色成分ともに前記入力画像情報よりも１画素当たりの階調数が少ない出力画像情報に変換することを実行させ、前記出力画像情報は、前記両色成分ともに前記入力画像情報の階調が各画素の階調値と網点の密度とにより表現された画像情報であり、前記第１の色成分と前記第２の色成分とで前記網点の大きさが異なることを特徴とする。
【００１４】
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
【００１５】
本発明の一態様では、前記第１および第２の色成分のうち少なくとも一つの色成分の網点の大きさは、低濃度になるほど小さくなるように、前記入力画像情報の階調値に応じて変化する。
【発明の効果】
【００１６】
請求項１に記載の発明によれば、本発明を採用しない場合と比較して、干渉縞および色むらの発生を軽減することが可能となる。
【００１７】
請求項２に記載の発明によれば、本発明を採用しない場合と比較して粒状性を良くすることが可能となる。
【００１８】
請求項３に記載の発明によれば、本発明を採用しない場合と比較して、粒状性を良くすることが可能となる。
【００１９】
請求項４に記載の発明によれば、本発明を採用しない場合と比較して干渉縞および色むらの発生を軽減することが可能となる。
【００２０】
請求項５に記載の発明によれば、本発明を採用しない場合と比較して粒状性を良くすることが可能となる。
【００２１】
請求項６に記載の発明によれば、本発明を採用しない場合と比較して、粒状性を良くすることが可能となる。
【００２２】
請求項７に記載の発明によれば、本発明を採用しない場合と比較して干渉縞および色むらの発生を軽減することが可能となる。
【００２３】
請求項８に記載の発明によれば、本発明を採用しない場合と比較して、粒状性を良くすることが可能となる。
【００２４】
請求項９に記載の発明によれば、本発明を採用しない場合と比較して、粒状性を良くすることが可能となる。
【発明を実施するための最良の形態】
【００２５】
以下、本発明の実施の形態を図面に従って説明する。
【００２６】
図１は、本実施の形態に係る画像処理装置１０の構成を示すブロック図である。この画像処理装置１０は、少なくとも２つの色成分を含む入力画像情報を、上記２つの色成分ともに入力画像情報の１画素当たりの階調数よりも１画素当たりの階調数が少ない出力画像情報に変換するものである。
【００２７】
画像処理装置１０は、一つの態様では、ハードウェア資源とソフトウェアとの協働により実現される。例えば、画像処理装置１０の機能は、ＲＯＭ（Read Only Memory）等の記録媒体に記録された画像処理プログラムがメインメモリに読み出されてＣＰＵ（Central Processing Unit）により実行されることによって実現される。上記画像処理プログラムは、ＣＤ−ＲＯＭ等の記録媒体に記録されて提供されることも可能であるし、通信手段により提供されることも可能である。また、別の態様では、画像処理装置１０は、ハードウェア回路により実現される。
【００２８】
図１において、画像処理装置１０は、受付部１１、変換部１２、および出力部１３を有する。
【００２９】
受付部１１は、第１および第２の色成分を含む入力画像情報の入力を受け付ける。ここで、入力画像情報は、複数の画素を含んで構成され、各画素は、各色についての階調値を有する。入力画像情報は、少なくとも第１および第２の色成分を含んでいればよく、３色以上の色成分を含んでいてもよい。例えば、入力画像情報は、シアン（Ｃ）、マゼンタ（Ｍ）、イエロー（Ｙ）、ブラック（Ｋ）の４つの色成分を含む画像情報であってもよいし、赤（Ｒ）、緑（Ｇ）、青（Ｂ）の３つの色成分を含む画像情報であってもよい。受付部１１は、例えばRAM(Random Access Memory)などを用いて画像情報の入力を受け付ける。
【００３０】
変換部１２は、受付部１１に入力された入力画像情報を、上記両色成分ともに入力画像情報よりも１画素当たりの階調数が少ない出力画像情報に変換する。具体的には、変換部１２は、第１の色成分の１画素当りの階調数がＭ１（３以上の整数）であり第２の色成分の１画素当りの階調数がＭ２（３以上の整数）である入力画像情報を、第１の色成分の１画素当りの階調数がＮ１（２以上かつＭ１未満の整数）であり第２の色成分の１画素当りの階調数がＮ２（２以上かつＭ２未満の整数）である出力画像情報に変換する。
【００３１】
本実施の形態では、干渉縞（モアレ縞）の発生を抑える観点より、変換部１２は、上記両色成分ともに入力画像情報の階調が出力画像情報において各画素の階調値と網点の密度とにより表現されるように、画像情報の変換を行う。すなわち、変換部１２は、網点の密度により階調を表現する方式（例えばＦＭスクリーン処理や誤差拡散処理など）を用いて画像情報の変換を行う。
【００３２】
また、本実施の形態では、第１の色成分の網点と第２の色成分の網点との隣接や重なりによる色むらの発生を抑える観点より、変換部１２は、第１の色成分と第２の色成分とで出力画像情報における網点の大きさが異なるように、画像情報の変換を行う。例えば、変換部１２は、一方の色成分の網点の大きさが他方の網点の大きさの１．２倍以上となるように変換を行う。
【００３３】
ここで、網点が大きいと粒状性が悪く、イエローは、シアンや、マゼンタ、ブラックと比べて粒状性が良い。そこで、本実施の形態では、入力画像情報がイエローの色成分とシアン、マゼンタ及びブラックの少なくともいずれか一つの色成分を含む場合、変換部１２は、イエローの色成分の網点の大きさがシアン、マゼンタ及びブラックの少なくともいずれか一つの色成分の網点の大きさよりも大きくなるように画像情報の変換を行う。
【００３４】
なお、一つの態様では、図２に概略的に示されるように、全階調域について第１の色成分と第２の色成分とで網点の大きさが異なるが、一部の階調域について網点の大きさが異なっていてもよい。例えば、電子写真方式による印刷出力では、高濃度域ではトナー粒子が網点の周囲に散ってしまうため、本来の形状を再現しないことがある。このような場合には、もともと網点の隣接や重なりによる色むらの問題を発生しないため、図３に概略的に示されるように、低中濃度域（例えば濃度５０％以下）に対応する階調域だけ網点の大きさを異ならせてもよい。
【００３５】
また、一つの態様では、図２に示されるように、全階調域について各色の網点の大きさが一定であるが、階調値に応じて網点の大きさを変化させてもよい。例えば、低濃度域では網点が大きいと粒状性が悪いという事情等に鑑み、低濃度になるほど網点が小さくなるように、図４に概略的に示されるように入力画像情報の階調値に応じて網点の大きさを変化させてもよい。なお、図４では、第１および第２の両方の色成分の網点の大きさが入力画像情報の階調値に応じて変化しているが、いずれか一方の色成分の網点の大きさが変化してもよい。
【００３６】
入力画像情報が３以上の色成分を含む場合、一つの態様では、変換部１２は、各色成分ともに入力画像情報よりも１画素当りの階調数が少なく、各色成分ともに入力画像情報の階調が各画素の階調値と網点の密度とにより表現された出力画像情報に変換する。そして、この場合における一つの態様では、変換部１２は、出力画像情報における網点の大きさが色成分毎に異なるように画像情報の変換を行う。ただし、少なくとも第１の色成分と第２の色成分とで網点の大きさが異なればよく、例えば、第３の色成分と第１（または第２）の色成分とで網点の大きさが同じであってもよい。また、入力画像情報の色成分の個数に関わらず、変換部１２は、少なくとも２つの色成分について上述の変換処理を行えばよい。
【００３７】
出力部１３は、変換部１２により得られた出力画像情報を外部（他の装置やソフトウェアモジュールなど）に出力する。出力部１３は例えばRAM(Random Access Memory)などを用いて出力する。
【００３８】
以下、上記変換部１２により行われる変換処理について具体的に説明する。なお、以下の説明では２つの変換処理を例示するが、変換処理はこれらに限定されない。
【００３９】
（第１の変換処理例）
本変換処理例では、特許文献３に記載の画像処理手法を利用する。この画像処理手法は、上述したとおり、多値で表される入力画像情報を、誤差拡散処理を行いながら複数個の微画素の２値データで階調表現するものである。より具体的には、ドット再現開始の基点となるドット（コアドット）が所定のサイズ以上となるように規制しながら誤差拡散法で２値化処理を進め、さらに、コアドットの生成状況や画像情報の濃度に応じて、コアドットに隣接する画素に最小単位のドット（サブドット）を配置することでドットの面積変調を行うものである。本変換処理例では、当該特許文献３に記載の画像処理手法において、コアドットの大きさを第１の色成分と第２の色成分とで異ならせることにより、２値化後の出力画像情報における網点の大きさを第１の色成分と第２の色成分とで異ならせる。
【００４０】
以下、本変換処理例について、より具体的な一例を示す。
【００４１】
本例では、入力画像情報は、第１および第２の色成分を含む解像度６００×６００ｄｐｉの画像データであり、第１および第２の色成分ともに１画素当りの階調数は２５６（階調値０〜２５５）であるものとする。
【００４２】
一方、出力画像情報は、第１および第２の色成分を含む解像度２，４００×２，４００ｄｐｉの画像データであり、第１および第２の色成分ともに１画素当りの階調数は２（階調値０〜１）であるものとする。本例では、入力画像情報の「画素」と区別するため、出力画像情報を構成する画素を「微画素」と称する。出力画像情報は、４×４個の微画素のマトリクス（以下、「微画素マトリクス」と称す）を６００×６００個含む画像情報であり、各微画素マトリクスは、入力画像情報の各画素に対応する。
【００４３】
また、本例では、微画素の階調値が「１」である状態、すなわち微画素が着色されている状態をＯＮと称し、微画素の階調値が「０」である状態、すなわち微画素が非着色である状態をＯＦＦと称する。
【００４４】
本例における多値誤差拡散処理では、入力画像情報を構成する各画素を、順次、２値化処理の対象画素（以下、「注目画素」と称する）とし、当該注目画素に対して２値化処理を行っていく。この２値化処理では、注目画素に対応する微画素マトリクスのＯＮ／ＯＦＦパターン（以下、「微画素パターン」と称する）を決定する。具体的には、注目画素の階調値に周辺の処理済み画素からの誤差値などの補正値を加算して得られる補正階調値と、当該注目画素に隣接する左、上、左上の処理済み画素（以下、「参照画素」と称す）の微画素パターンとに基づき、注目画素に対応する微画素パターンを下記６つのパターン１〜６のいずれかに決定する。
【００４５】
１．全微画素がＯＦＦであるパターン。すなわち、全白（Ｗｈｔ）を形成するパターン。
【００４６】
２．全微画素がＯＮであるパターン。すなわち、全黒（Ｂｌｋ）を形成するパターン。
【００４７】
３．所定の位置の所定数の微画素がＯＮであるパターン。すなわち、黒のコアドット（Ｃｏｒｅ＿Ｂ）を形成するパターン。ここでは、図５に示されるように、右下隅の８個の微画素をＯＮしたパターンである。ただし、ＯＮの微画素の個数は、８個に限られず、２個以上であればよい。また、本変換処理例では、ＯＮの微画素の個数として、第１の色成分と第２の色成分とで異なる個数が設定される。
【００４８】
４．所定の位置の所定数の微画素がＯＦＦであるパターン。すなわち、白のコアドット（Ｃｏｒｅ＿Ｗ）を形成するパターン。ここでは、図６に示されるように、右下隅の８個の微画素をＯＦＦしたパターンである。ただし、ＯＦＦの微画素の個数は、８個に限られず、２個以上であればよい。また、本変換処理例では、ＯＦＦの微画素の個数として、第１の色成分と第２の色成分とで異なる個数が設定される。
【００４９】
５．黒のコアドットに隣接する位置の微画素を含み、注目画素の補正階調値に応じた数の微画素がＯＮされるパターン。すなわち、黒のサブドット（Ｓｕｂ＿Ｂ）を形成するパターン。
【００５０】
６．白のコアドットに隣接する位置の微画素を含み、注目画素の補正階調値に応じた数の微画素がＯＦＦされるパターン。すなわち、白のサブドット（Ｓｕｂ＿Ｗ）を形成するパターン。
【００５１】
図７はコアドット判定マップを示す図であり、図８はサブドット判定マップである。以下、図７および図８を参照して、微画素パターンの決定方法について説明する。
【００５２】
図９に示されるように注目画素に隣接する３個の参照画素に黒のコアドットに相当する微画素パターン（パターン３）が無く、かつ、注目画素の補正階調値が下側閾値Ｔｈ１＿Ｌｏｗ以上かつ中央閾値Ｔｈ＿Ｃｅｎｔｅｒ未満である場合、黒のコアドットに相当するパターン（パターン３）に決定される。なお、図１０には、注目画素に隣接する３個の参照画素に黒のコアドットが存在しないケースの例が示されている。
【００５３】
図９に示されるように注目画素に隣接する３個の参照画素に黒のコアドットに相当する微画素パターン（パターン３）が無く、かつ、注目画素の補正階調値が下側閾値Ｔｈ１＿Ｌｏｗ未満である場合、全白に相当するパターン（パターン１）に決定される。
【００５４】
図１１に示されるように注目画素に隣接する３個の参照画素に白のコアドットに相当する微画素パターン（パターン４）が無く、かつ、注目画素の補正階調値が中央閾値Ｔｈ＿Ｃｅｎｔｅｒ以上かつ上側閾値Ｔｈ１＿Ｈｉｇｈ未満である場合、白のコアドットに相当するパターン（パターン４）に決定される。
【００５５】
図１１に示されるように注目画素に隣接する３個の参照画素に白のコアドットに相当する微画素パターン（パターン４）が無く、かつ、注目画素の補正階調値が上側閾値Ｔｈ１＿Ｈｉｇｈ以上である場合、全黒に相当するパターン（パターン２）に決定される。
【００５６】
注目画素に隣接する３個の参照画素に黒のコアドットに相当する微画素パターン（パターン３）が存在し、注目画素の補正階調値が中央閾値Ｔｈ＿Ｃｅｎｔｅｒ未満である場合には、黒のサブドットに相当するパターン（パターン５）に決定される。ここで、ＯＮの微画素の個数は、図８のマップに従って補正階調値に応じて決められ、補正階調値が大きいほど多くなる。なお、図１２には、左上に黒のコアドットが存在した場合に、注目画素が黒のサブドットに変換されたときの一例が示されている。図１２に示されるように、左上に黒のコアドットが存在する場合には、補正階調値に応じて左上から微画素がＯＮされる。
【００５７】
注目画素に隣接する３個の参照画素に白のコアドットに相当する微画素パターン（パターン４）が存在し、注目画素の補正階調値が中央閾値Ｔｈ＿Ｃｅｎｔｅｒ以上である場合には、白のサブドットに相当するパターン（パターン６）に決定される。ここで、ＯＦＦの微画素の個数は、図８のマップに従って補正階調値に応じて決められ、補正階調値が小さいほど多くなる。なお、図１３には、左上に白のコアドットが存在した場合に、注目画素が白のサブドットに変換されたときの一例が示されている。図１３に示されるように、左上に白のコアドットが存在する場合には、補正階調値に応じて左上から微画素がＯＦＦされる。
【００５８】
上記微画素パターンの決定方法に従って注目画素の微画素パターンが決定すると、１画素内（微画素マトリクス内）でＯＮとなった微画素で表される階調値（すなわち微画素マトリクス全体に対するＯＮの微画素の面積率に基づく階調値）と補正階調値との誤差値を算出し、算出された誤差値を周囲の未処理画素に拡散させる。具体的には、拡散先の画素の各々について、当該拡散先の画素と注目画素との相対位置に応じた所定の重み付け係数を誤差値に乗算して補正値を求め、当該補正値を当該拡散先の画素の階調値に加算する。
【００５９】
上記説明した変換処理方式を用いて、第１および第２の色成分ともに濃度２０％（階調値は５１）であるハーフトーンべた画像に対して実際に２値化処理を行ったところ、図１４〜１６に示される出力画像情報が得られた。図１４は第１の色成分を示し、図１５は第２の色成分を示し、図１６は第１の色成分と第２の色成分とを重ね合わせたものを示す。なお、図１４および図１５には、図１６の領域の一部が示されている。当該実施例では、第１の色成分のコアドットサイズを１４、第２の色成分のコアドットサイズを８とした。その結果、第１の色成分については、一つのクラスタがおよそ１９個の微画素から構成されることとなり、第２の色成分については、一つのクラスタがおよそ１４個の微画素から構成されることとなった。ここで、コアドットサイズとは、黒のコアドットについてはＯＮの微画素の個数であり、白のコアドットについてはＯＦＦの微画素の個数である。また、クラスタとは、低階調値域におけるＯＮの微画素が１つ以上集まって形成されるＯＮ微画素の集合体、または高階調値域におけるＯＦＦの微画素が１つ以上集まって形成されるＯＦＦ微画素の集合体を意味し、クラスタは網点を構成している。図１４と図１５とを比較すると、全微画素の個数に対するＯＮ微画素の個数の割合（すなわちＯＮ微画素の面積率）は第１の色成分と第２の色成分とで略同一であるが、クラスタの大きさは第１の色成分の方が大きくなっており、クラスタの密度（単位面積当りのクラスタの個数）は第１の色成分の方が小さくなっている。
【００６０】
（第２の変換処理例）
本変換処理例では、第１および第２の色成分を含み所定の入力解像度を有するＭ階調（Ｍは３以上の整数）の入力画像情報を、次のようにＮ階調（Ｎは２以上かつＭ未満の整数）の出力画像情報にＮ値化する。ここで、Ｍ（またはＮ）階調とは、１画素当たりの階調数がＭ（またはＮ）であることを意味する。
【００６１】
第１の色成分について、所定の入力解像度を有するＭ階調の入力画像情報を、第１の解像度を有するＭ階調の入力画像情報に変換し、解像度変換後の画像情報に対してＮ値化処理を行う。そして、Ｎ値化処理後の画像情報を所定の出力解像度に変換する。ただし、この出力解像度への変換は省略可能である。
【００６２】
一方、第２の色成分については、所定の入力解像度を有するＭ階調の入力画像情報を、上記第１の解像度とは異なる第２の解像度を有するＭ階調の入力画像情報に変換し、解像度変換後の画像情報に対してＮ値化処理を行う。そして、Ｎ値化処理後の画像情報を所定の出力解像度に変換する。ただし、この出力解像度への変換は省略可能である。
【００６３】
なお、上記第１の解像度および第２の解像度のうち一方は、入力解像度と同じであってもよい。そして、第１の解像度が入力解像度と同じであれば、第１の色成分についての解像度変換は不要であり、第２の解像度が入力解像度と同じであれば、第２の色成分についての解像度変換は不要である。
【００６４】
以下、本変換処理例について、より具体的な一例を示す。
【００６５】
本例では、入力画像情報は、第１および第２の色成分を含む入力解像度６００×６００ｄｐｉの２５６階調（階調値０〜２５５）の画像データであるものとする。
【００６６】
一方、出力画像情報は、第１および第２の色成分を含む出力解像度２，４００×２，４００ｄｐｉの２階調（階調値０または１）の画像データであるものとする。
【００６７】
第１の色成分については、図１７に示されるように、入力解像度６００×６００ｄｐｉの画像データを８００×８００ｄｐｉに解像度変換した後、当該８００×８００ｄｐｉの画像データを誤差拡散法により２値化し、得られた画像データを出力解像度２４００×２４００ｄｐｉに解像度変換する。
【００６８】
一方、第２の色成分については、図１８に示されるように、入力解像度６００×６００ｄｐｉの画像データを誤差拡散法により２値化し、得られた画像データを出力解像度２４００×２４００ｄｐｉに解像度変換する。
【００６９】
図１７と図１８とを比較すると、着色面積率は第１の色成分と第２の色成分とで略同一であるが、網点の大きさは第２の色成分の方が大きくなっており、網点の密度は第２の色成分の方が小さくなっている。
【００７０】
以上説明した本実施の形態に係る画像処理装置１０は、各種の用途に適用可能であるが、例えば多色画像形成装置（カラープリンタやカラー複写機など）に適用される。
【００７１】
図１９は、本実施の形態に係る画像処理装置を含む多色画像形成装置１００の構成を示す概略構成図である。この多色画像形成装置１００は、電子写真方式により紙等の印刷媒体上に画像を形成する装置である。
【００７２】
図１９において、多色画像形成装置１００は、画像処理部２０と画像形成部３０とを有する。
【００７３】
まず、画像処理部２０について説明する。画像処理部２０は、多値イメージ生成部２１とＮ値化処理部２２Ｙ，２２Ｍ，２２Ｃ，２２Ｋを有する。
【００７４】
多値イメージ生成部２１は、外部の情報処理装置（例えばパーソナルコンピュータ等のクライアント装置）からのＰＤＬ（ページ記述言語：Page Description Language）データや、スキャナにより原稿から読み取られたスキャンデータの入力を受け付け、入力されたデータを４色（Ｙ，Ｍ，Ｃ，Ｋ）の２５６階調のビットマップ画像データに変換する。そして、多値イメージ生成部２１は、得られたＹ，Ｍ，Ｃ，Ｋ色の画像データを、それぞれＮ値化処理部２２Ｙ，２２Ｍ，２２Ｃ，２２Ｋに出力する。
【００７５】
Ｎ値化処理部２２Ｙ，２２Ｍ，２２Ｃ，２２Ｋは、それぞれ、多値イメージ生成部２１から入力された２５６階調の入力画像データを２値化して、２階調の出力画像データを生成する。このとき、Ｎ値化処理部２２Ｙ，２２Ｍ，２２Ｃ，２２Ｋは、入力画像データの階調が出力画像データにおいて各画素の階調と網点の密度とによって表されるように、かつ、上記網点の大きさが色毎に異なるように、２値化処理を行う。そして、Ｎ値化処理部２２Ｙ，２２Ｍ，２２Ｃ，２２Ｋは、それぞれ、得られた２階調の出力画像データを後述の露光部３３Ｙ，３３Ｍ，３３Ｃ，３３Ｋに出力する。
【００７６】
次に、画像形成部３０について説明する。画像形成部３０は、イエロー（Ｙ）、マゼンタ（Ｍ）、シアン（Ｃ）、ブラック（Ｋ）用の感光体３１Ｙ，３１Ｍ，３１Ｃ，３１Ｋを有する。感光体３１Ｙ，３１Ｍ，３１Ｃ，３１Ｋの周囲には、それぞれ、帯電部３２Ｙ，３２Ｍ，３２Ｃ，３２Ｋ、露光部３３Ｙ，３３Ｍ，３３Ｃ，３３Ｋ、現像部３４Ｙ，３４Ｍ，３４Ｃ，３４Ｋが設けられている。４つの感光体３１Ｙ，３１Ｍ，３１Ｃ，３１Ｋは、用紙搬送方向（図１９の矢印Ｘ方向）に沿って並列配置されており、これらに接するように転写ベルト３５が設けられている。また、４つの感光体の用紙搬送方向下流側には、定着部３６が配置されている。
【００７７】
帯電部３２Ｙ，３２Ｍ，３２Ｃ，３２Ｋは、それぞれ感光体３１Ｙ，３１Ｍ，３１Ｃ，３１Ｋの表面を一様に帯電させる。
【００７８】
露光部３３Ｙ，３３Ｍ，３３Ｃ，３３Ｋは、それぞれ、一様に帯電させられた感光体３１Ｙ，３１Ｍ，３１Ｃ，３１Ｋの表面にレーザビームを照射して静電潜像を形成する。具体的には、露光部３３Ｙ，３３Ｍ，３３Ｃ，３３Ｋは、それぞれ、Ｎ値化処理部２２Ｙ，２２Ｍ，２２Ｃ，２２Ｋから入力される上記２階調の出力画像データに基づいてレーザビームの照射のＯＮ／ＯＦＦを制御し、これにより出力画像データに対応する静電潜像を感光体上に形成する。
【００７９】
現像部３４Ｙ，３４Ｍ，３４Ｃ，３４Ｋは、それぞれ、感光体３１Ｙ，３１Ｍ，３１Ｃ，３１Ｋに形成された静電潜像を、Ｙ，Ｍ，Ｃ，Ｋ色のトナーで現像する。
【００８０】
感光体３１Ｙ，３１Ｍ，３１Ｃ，３１Ｋ上に形成されたＹ，Ｍ，Ｃ，Ｋ色のトナー像は、順次、転写ベルト３５上を搬送される紙等の記録媒体上に転写される。そして、Ｙ，Ｍ，Ｃ，Ｋ色のトナー像が転写された記録媒体は定着部３６に搬送され、定着部３６においてトナー像が記録媒体に定着される。
【００８１】
なお、本発明は、上記実施の形態に限定されるものではなく、本発明の要旨を逸脱しない範囲内で種々変更することができる。
【図面の簡単な説明】
【００８２】
【図１】実施の形態に係る画像処理装置の構成を示すブロック図である。
【図２】階調値と網点の大きさとの関係の一例を概略的に示す図である。
【図３】階調値と網点の大きさとの関係の一例を概略的に示す図である。
【図４】階調値と網点の大きさとの関係の一例を概略的に示す図である。
【図５】黒のコアドットを形成する微画素パターンの一例を示す図である。
【図６】白のコアドットを形成する微画素パターンの一例を示す図である。
【図７】コアドット判定マップの一例を示す図である。
【図８】サブドット判定マップの一例を示す図である。
【図９】注目画素が黒のコアドットになり得るケースを説明するための図である。
【図１０】注目画素が黒のコアドットになり得るケースが列挙された図である。
【図１１】注目画素が白のコアドットになり得るケースを説明するための図である。
【図１２】左上に黒のコアドットが存在した場合に、注目画素が黒のサブドットに変換されたときの一例を示す図である。
【図１３】左上に白のコアドットが存在した場合に、注目画素が白のサブドットに変換されたときの一例を示す図である。
【図１４】第１の変換処理例における出力画像情報の第１の色成分の一例を示す図である。
【図１５】第１の変換処理例における出力画像情報の第２の色成分の一例を示す図である。
【図１６】第１の変換処理例における出力画像情報の一例を示す図である。
【図１７】第２の変換処理例における、第１の色成分についての処理の一例を示す図である。
【図１８】第２の変換処理例における、第２の色成分についての処理の一例を示す図である。
【図１９】実施の形態に係る画像処理装置を含む多色画像形成装置の構成を示す概略構成図である。
【符号の説明】
【００８３】
１０  画像処理装置、１１  受付部、１２  変換部、１３  出力部、２０  画像処理部、３０  画像形成部、１００  多色画像形成装置。
【図１】
2008147739.tif 000003
【図２】
2008147739.tif 000004
【図３】
2008147739.tif 000005
【図４】
2008147739.tif 000006
【図１４】
2008147739.tif 000007
【図１５】
2008147739.tif 000008
【図１６】
2008147739.tif 000009
【図１９】
2008147739.tif 000010
【図５】
2008147739.tif 000011
【図６】
2008147739.tif 000012
【図７】
2008147739.tif 000013
【図８】
2008147739.tif 000014
【図９】
2008147739.tif 000015
【図１０】
2008147739.tif 000016
【図１１】
2008147739.tif 000017
【図１２】
2008147739.tif 000018
【図１３】
2008147739.tif 000019
【図１７】
2008147739.tif 000020
【図１８】
2008147739.tif 000021
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
第１および第２の色成分を含み、前記両色成分ともに１画素当たりの階調数が３以上である入力画像情報を、前記両色成分ともに１画素当たりの階調数が２である出力画像情報に変換する変換手段を備え、
前記出力画像情報は、前記両色成分ともに前記入力画像情報の階調がＦＭスクリーン処理により表現された画像情報であり、
前記第１の色成分と前記第２の色成分とで前記ＦＭスクリーン処理の網点の大きさが異なる、
ことを特徴とする画像処理装置。
【請求項２】
請求項１に記載の画像処理装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理装置。
【請求項３】
請求項１または２に記載の画像処理装置であって、
前記第１および第２の色成分のうち少なくとも一つの色成分の網点の大きさは、低濃度になるほど小さくなるように、前記入力画像情報の階調値に応じて変化する、
ことを特徴とする画像処理装置。
【請求項４】
請求項１に記載の画像処理装置であって、
前記変換手段は、前記色成分毎に、前記入力画像情報の注目画素の階調値に当該注目画素の周辺の処理済み画素からの誤差値を加算して得られる補正階調値と注目画素に隣接する画素の画素マトリクスパターンとから、前記注目画素に対応する出力画像情報の前記画素マトリクスの着色パターンを決定する２値化処理を行い、
前記着色パターンには、所定の複数個の画素が着色され網点の基点を形成するコアドットパターンと、前記補正階調値に応じた数の画素が着色され前記コアドットパターンとともに網点を構成するサブドットパターンと、が含まれ、
前記コアドットパターンにおいて着色される画素の個数は、前記第１の色成分と前記第２の色成分とで異なる、
ことを特徴とする画像処理装置。
【請求項５】
請求項１に記載の画像処理装置であって、
前記変換手段は、
前記第１の色成分については、所定の入力解像度を有する入力画像情報を、前記入力解像度と異なる第１の解像度を有する画像情報に変換し、当該解像度変換後の画像情報に対して２値化処理を行い、
前記第２の色成分については、前記所定の入力解像度を有する入力画像情報を、前記第１の解像度とは異なる第２の解像度を有する画像情報に変換し、当該解像度変換後の画像情報に対して２値化処理を行うか、または前記入力画像情報に対して２値化処理を行う、
ことを特徴とする画像処理装置。
【請求項６】
第１および第２の色成分を含み、前記両色成分ともに１画素当たりの階調数が３以上である入力画像情報を、前記両色成分ともに１画素当たりの階調数が２である出力画像情報に変換する変換手段と、
前記出力画像情報に基づき、前記第１および第２の色成分を含む画像を記録媒体上に形成する画像形成手段と、
を備え、
前記出力画像情報は、前記両色成分ともに前記入力画像情報の階調がＦＭスクリーン処理により表現された画像情報であり、
前記第１の色成分と前記第２の色成分とで前記ＦＭスクリーン処理の網点の大きさが異なる、
ことを特徴とする多色画像形成装置。
【請求項７】
請求項６に記載の多色画像形成装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする多色画像形成装置。
【請求項８】
請求項６または７に記載の多色画像形成装置であって、
前記第１および第２の色成分のうち少なくとも一つの色成分の網点の大きさは、低濃度になるほど小さくなるように、前記入力画像情報の階調値に応じて変化する、
ことを特徴とする多色画像形成装置。
【請求項９】
コンピュータに、第１および第２の色成分を含み、前記両色成分ともに１画素当たりの階調数が３以上である入力画像情報を、前記両色成分ともに１画素当たりの階調数が２である出力画像情報に変換することを実行させ、
前記出力画像情報は、前記両色成分ともに前記入力画像情報の階調がＦＭスクリーン処理により表現された画像情報であり、
前記第１の色成分と前記第２の色成分とで前記ＦＭスクリーン処理の網点の大きさが異なる、
ことを特徴とする画像処理プログラム。
【請求項１０】
請求項９に記載の画像処理プログラムであって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理プログラム。
【請求項１１】
請求項９または１０に記載の画像処理プログラムであって、
前記第１および第２の色成分のうち少なくとも一つの色成分の網点の大きさは、低濃度になるほど小さくなるように、前記入力画像情報の階調値に応じて変化する、
ことを特徴とする画像処理プログラム。
【手続補正２】
【補正対象書類名】明細書
【補正対象項目名】０００８
【補正方法】変更
【補正の内容】
【０００８】
本発明に係る画像処理装置は、第１および第２の色成分を含み、前記両色成分ともに１画素当たりの階調数が３以上である入力画像情報を、前記両色成分ともに１画素当たりの階調数が２である出力画像情報に変換する変換手段を備え、前記出力画像情報は、前記両色成分ともに前記入力画像情報の階調がＦＭスクリーン処理により表現された画像情報であり、前記第１の色成分と前記第２の色成分とで前記ＦＭスクリーン処理の網点の大きさが異なることを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
また、本発明の一態様では、前記第１および第２の色成分のうち少なくとも一つの色成分の網点の大きさは、低濃度になるほど小さくなるように、前記入力画像情報の階調値に応じて変化する。
また、本発明の一態様では、前記変換手段は、前記色成分毎に、前記入力画像情報の注目画素の階調値に当該注目画素の周辺の処理済み画素からの誤差値を加算して得られる補正階調値と注目画素に隣接する画素の画素マトリクスパターンとから、前記注目画素に対応する出力画像情報の前記画素マトリクスの着色パターンを決定する２値化処理を行い、前記着色パターンには、所定の複数個の画素が着色され網点の基点を形成するコアドットパターンと、前記補正階調値に応じた数の画素が着色され前記コアドットパターンとともに網点を構成するサブドットパターンと、が含まれ、前記コアドットパターンにおいて着色される画素の個数は、前記第１の色成分と前記第２の色成分とで異なる。
また、本発明の一態様では、前記変換手段は、前記第１の色成分については、所定の入力解像度を有する入力画像情報を、前記入力解像度と異なる第１の解像度を有する画像情報に変換し、当該解像度変換後の画像情報に対して２値化処理を行い、前記第２の色成分については、前記所定の入力解像度を有する入力画像情報を、前記第１の解像度とは異なる第２の解像度を有する画像情報に変換し、当該解像度変換後の画像情報に対して２値化処理を行うか、または前記入力画像情報に対して２値化処理を行う。
本発明に係る多色画像形成装置は、第１および第２の色成分を含み、前記両色成分ともに１画素当たりの階調数が３以上である入力画像情報を、前記両色成分ともに１画素当たりの階調数が２である出力画像情報に変換する変換手段と、前記出力画像情報に基づき、前記第１および第２の色成分を含む画像を記録媒体上に形成する画像形成手段と、を備え、前記出力画像情報は、前記両色成分ともに前記入力画像情報の階調がＦＭスクリーン処理により表現された画像情報であり、前記第１の色成分と前記第２の色成分とで前記ＦＭスクリーン処理の網点の大きさが異なることを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
本発明の一態様では、前記第１および第２の色成分のうち少なくとも一つの色成分の網点の大きさは、低濃度になるほど小さくなるように、前記入力画像情報の階調値に応じて変化する。
本発明に係る画像処理プログラムは、コンピュータに、第１および第２の色成分を含み、前記両色成分ともに１画素当たりの階調数が３以上である入力画像情報を、前記両色成分ともに１画素当たりの階調数が２である出力画像情報に変換することを実行させ、前記出力画像情報は、前記両色成分ともに前記入力画像情報の階調がＦＭスクリーン処理により表現された画像情報であり、前記第１の色成分と前記第２の色成分とで前記ＦＭスクリーン処理の網点の大きさが異なることを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
本発明の一態様では、前記第１および第２の色成分のうち少なくとも一つの色成分の網点の大きさは、低濃度になるほど小さくなるように、前記入力画像情報の階調値に応じて変化する。
なお、本段落の次の文から、段落「００１５」までは、出願当初の［特許請求の範囲］に対応する記載である。
本発明に係る画像処理装置は、第１および第２の色成分を含む入力画像情報を、前記両色成分ともに前記入力画像情報よりも１画素当たりの階調数が少ない出力画像情報に変換する変換手段を備え、前記出力画像情報は、前記両色成分ともに前記入力画像情報の階調が各画素の階調値と網点の密度とにより表現された画像情報であり、前記第１の色成分と前記第２の色成分とで前記網点の大きさが異なることを特徴とする。
【手続補正３】
【補正対象書類名】明細書
【補正対象項目名】００１９
【補正方法】変更
【補正の内容】
【００１９】
請求項６に記載の発明によれば、本発明を採用しない場合と比較して干渉縞および色むらの発生を軽減することが可能となる。
【手続補正４】
【補正対象書類名】明細書
【補正対象項目名】００２０
【補正方法】変更
【補正の内容】
【００２０】
請求項７に記載の発明によれば、本発明を採用しない場合と比較して粒状性を良くすることが可能となる。
【手続補正５】
【補正対象書類名】明細書
【補正対象項目名】００２１
【補正方法】変更
【補正の内容】
【００２１】
請求項８に記載の発明によれば、本発明を採用しない場合と比較して、粒状性を良くすることが可能となる。
【手続補正６】
【補正対象書類名】明細書
【補正対象項目名】００２２
【補正方法】変更
【補正の内容】
【００２２】
請求項９に記載の発明によれば、本発明を採用しない場合と比較して干渉縞および色むらの発生を軽減することが可能となる。
【手続補正７】
【補正対象書類名】明細書
【補正対象項目名】００２３
【補正方法】変更
【補正の内容】
【００２３】
請求項１０に記載の発明によれば、本発明を採用しない場合と比較して、粒状性を良くすることが可能となる。
【手続補正８】
【補正対象書類名】明細書
【補正対象項目名】００２４
【補正方法】変更
【補正の内容】
【００２４】
請求項１１に記載の発明によれば、本発明を採用しない場合と比較して、粒状性を良くすることが可能となる。
【手続補正９】
【補正対象書類名】明細書
【補正対象項目名】００３１
【補正方法】変更
【補正の内容】
【００３１】
本実施の形態では、干渉縞（モアレ縞）の発生を抑える観点より、変換部１２は、上記両色成分ともに入力画像情報の階調が出力画像情報において網点の密度により表現されるように、画像情報の変換を行う。すなわち、変換部１２は、網点の密度により階調を表現する方式（例えばＦＭスクリーン処理や誤差拡散処理など）を用いて画像情報の変換を行う。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段を備え、
前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換する、
ことを特徴とする画像処理装置。
【請求項２】
請求項１に記載の画像処理装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理装置。
【請求項３】
請求項１または２に記載の画像処理装置であって、
前記第１および第２の色成分のうち少なくとも一つの色成分の網点の大きさは、低濃度になるほど小さくなるように、前記入力画像情報の階調値に応じて変化する、
ことを特徴とする画像処理装置。
【請求項４】
請求項１に記載の画像処理装置であって、
前記変換手段は、前記色成分毎に、前記入力画像情報の注目画素の階調値に当該注目画素の周辺の処理済み画素からの誤差値を加算して得られる補正階調値と注目画素に隣接する画素の画素マトリクスパターンとから、前記注目画素に対応する出力画像情報の前記画素マトリクスの着色パターンを決定する２値化処理を行い、
前記着色パターンには、所定の複数個の画素が着色され網点の基点を形成するコアドットパターンと、前記補正階調値に応じた数の画素が着色され前記コアドットパターンとともに網点を構成するサブドットパターンと、が含まれ、
前記コアドットパターンにおいて着色される画素の個数は、前記第１の色成分と前記第２の色成分とで異なる、
ことを特徴とする画像処理装置。
【請求項５】
請求項１に記載の画像処理装置であって、
前記変換手段は、
前記第１の色成分については、所定の入力解像度を有する入力画像情報を、前記入力解像度と異なる第１の解像度を有する画像情報に変換し、当該解像度変換後の画像情報に対して２値化処理を行い、
前記第２の色成分については、前記所定の入力解像度を有する入力画像情報を、前記第１の解像度とは異なる第２の解像度を有する画像情報に変換し、当該解像度変換後の画像情報に対して２値化処理を行うか、または前記入力画像情報に対して２値化処理を行う、
ことを特徴とする画像処理装置。
【請求項６】
第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段と、
前記出力画像情報に基づき、前記第１および第２の色成分を含む画像を記録媒体上に形成する画像形成手段と、
を備え、
前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換する、
ことを特徴とする多色画像形成装置。
【請求項７】
請求項６に記載の多色画像形成装置であって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする多色画像形成装置。
【請求項８】
請求項６または７に記載の多色画像形成装置であって、
前記第１および第２の色成分のうち少なくとも一つの色成分の網点の大きさは、低濃度になるほど小さくなるように、前記入力画像情報の階調値に応じて変化する、
ことを特徴とする多色画像形成装置。
【請求項９】
コンピュータを、第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段として機能させ、
前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換する、
ことを特徴とする画像処理プログラム。
【請求項１０】
請求項９に記載の画像処理プログラムであって、
前記入力画像情報は、イエローの色成分と、シアン、マゼンタ及びブラックの少なくともいずれか一つの色成分とを含み、
前記イエローの色成分の網点の大きさは、前記シアン、マゼンタ及びブラックの少なくともいずれか一つの色成分の網点よりも大きい、
ことを特徴とする画像処理プログラム。
【請求項１１】
請求項９または１０に記載の画像処理プログラムであって、
前記第１および第２の色成分のうち少なくとも一つの色成分の網点の大きさは、低濃度になるほど小さくなるように、前記入力画像情報の階調値に応じて変化する、
ことを特徴とする画像処理プログラム。
【手続補正２】
【補正対象書類名】明細書
【補正対象項目名】０００８
【補正方法】変更
【補正の内容】
【０００８】
本発明に係る画像処理装置は、第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段を備え、前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換することを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
また、本発明の一態様では、前記第１および第２の色成分のうち少なくとも一つの色成分の網点の大きさは、低濃度になるほど小さくなるように、前記入力画像情報の階調値に応じて変化する。
また、本発明の一態様では、前記変換手段は、前記色成分毎に、前記入力画像情報の注目画素の階調値に当該注目画素の周辺の処理済み画素からの誤差値を加算して得られる補正階調値と注目画素に隣接する画素の画素マトリクスパターンとから、前記注目画素に対応する出力画像情報の前記画素マトリクスの着色パターンを決定する２値化処理を行い、前記着色パターンには、所定の複数個の画素が着色され網点の基点を形成するコアドットパターンと、前記補正階調値に応じた数の画素が着色され前記コアドットパターンとともに網点を構成するサブドットパターンと、が含まれ、前記コアドットパターンにおいて着色される画素の個数は、前記第１の色成分と前記第２の色成分とで異なる。
また、本発明の一態様では、前記変換手段は、前記第１の色成分については、所定の入力解像度を有する入力画像情報を、前記入力解像度と異なる第１の解像度を有する画像情報に変換し、当該解像度変換後の画像情報に対して２値化処理を行い、前記第２の色成分については、前記所定の入力解像度を有する入力画像情報を、前記第１の解像度とは異なる第２の解像度を有する画像情報に変換し、当該解像度変換後の画像情報に対して２値化処理を行うか、または前記入力画像情報に対して２値化処理を行う。
本発明に係る多色画像形成装置は、第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段と、前記出力画像情報に基づき、前記第１および第２の色成分を含む画像を記録媒体上に形成する画像形成手段と、を備え、前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換することを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
本発明の一態様では、前記第１および第２の色成分のうち少なくとも一つの色成分の網点の大きさは、低濃度になるほど小さくなるように、前記入力画像情報の階調値に応じて変化する。
本発明に係る画像処理プログラムは、コンピュータを、第１および第２の色成分を含み、前記両色成分ともに１画素当たりの階調数が３以上である入力画像情報を、網点の密度により階調を表現する２値化処理を用いて、前記両色成分ともに前記入力画像情報の階調が網点の密度により表現された、前記両色成分ともに１画素当たりの階調数が２である出力画像情報に変換する変換手段として機能させ、前記変換手段は、少なくとも一部の階調域において、前記第１の色成分と前記第２の色成分とで前記入力画像情報の階調値が同一である場合に、前記第１の色成分と前記第２の色成分とで前記出力画像情報における網点の大きさが異なるように、前記入力画像情報を前記出力画像情報に変換することを特徴とする。
本発明の一態様では、前記入力画像情報は、イエローの色成分と、シアン、マゼンタ及びブラックの少なくともいずれか一つの色成分とを含み、前記イエローの色成分の網点の大きさは、前記シアン、マゼンタ及びブラックの少なくともいずれか一つの色成分の網点よりも大きい。
本発明の一態様では、前記第１および第２の色成分のうち少なくとも一つの色成分の網点の大きさは、低濃度になるほど小さくなるように、前記入力画像情報の階調値に応じて変化する。
なお、本段落の次の文から、段落「００１５」までは、出願当初の［特許請求の範囲］に対応する記載である。
本発明に係る画像処理装置は、第１および第２の色成分を含む入力画像情報を、前記両色成分ともに前記入力画像情報よりも１画素当たりの階調数が少ない出力画像情報に変換する変換手段を備え、前記出力画像情報は、前記両色成分ともに前記入力画像情報の階調が各画素の階調値と網点の密度とにより表現された画像情報であり、前記第１の色成分と前記第２の色成分とで前記網点の大きさが異なることを特徴とする。